(57)【要約】【課題】パチンコ機の本体枠の施錠装置側の側部に球払出装置を配置する場合に、本体枠の開閉性を確保しながら、盤面部品回避用の開口部を拡大化できるようにする。【解決手段】球払出装置１７は、本体枠１２の左側端（施錠装置２３側の側端）から適度な間隔だけ本体枠１２の中央側へ移動させた位置に配置して、本体枠１２の開閉性を確保する。そして、球払出装置１７の右側面（本体枠１２の中央側となる側面）よりも球払出流路２０の右側面及び球抜き流路２１の右側面を本体枠１２の外寄りにすると共に、球抜き流路２１の一部を施錠装置２３と前後に重なるようにして、開口部２８を拡大する。尚、球払出装置１７は、外枠２２の係合フック２５よりも下方で、遊技盤２６の遊技領域２７が最大幅となる位置よりも高い位置に配置すると良い。【選択図】  図１
2004357808.tif 000002
【特許請求の範囲】
【請求項１】
遊技盤を支持する本体枠の側端部に、該本体枠を外枠に対して閉鎖状態で施錠するための施錠装置を設け、前記本体枠の裏面側で前記施錠装置側の側部に球払出装置を配置した遊技機において、
前記球払出装置の前記本体枠中央側となる側面よりも該球払出装置に接続された球流路の前記本体枠中央側となる側面の少なくとも一部の方が前記本体枠の外寄りになるように該球流路が設けられていることを特徴とする遊技機。
【請求項２】
遊技盤を支持する本体枠の側端部に、該本体枠を外枠に対して閉鎖状態で施錠するための施錠装置を設け、前記本体枠の裏面側で前記施錠装置側の側部に球払出装置を配置した遊技機において、
前記球払出装置に接続された球流路の少なくとも一部が前記施錠装置と前後に重なるように設けられていることを特徴とする遊技機。
【請求項３】
遊技盤を支持する本体枠の側端部に、該本体枠を外枠に対して閉鎖状態で施錠するための施錠装置を設け、前記本体枠の裏面側で前記施錠装置側の側部に球払出装置を配置した遊技機において、
前記外枠に、前記本体枠が閉じられたときに前記施錠装置と係合する係合部が設けられ、
前記球払出装置は、前記係合部よりも上方又は下方に配置されていることを特徴とする遊技機。
【請求項４】
前記球払出装置は、前記遊技盤に形成された遊技領域が最大幅となる位置よりも高い位置に配置されていることを特徴とする請求項１乃至３のいずれかに記載の遊技機。
【発明の詳細な説明】
【０００１】
【発明の属する技術分野】
本発明は、本体枠の裏面側で施錠装置側の側部に球払出装置を配置した遊技機に関するものである。
【０００２】
【従来の技術】
一般に、パチンコ機等の遊技機は、遊技盤に、センター役物、入賞装置等の盤面部品を組み付け、この遊技盤を支持する本体枠の裏面側（本体枠の裏面又は本体枠の裏面に取り付けられた機構板）に、球タンク、球払出装置等の裏部品を組み付けるようにしているが、遊技盤に設けられた盤面部品の中には、例えばセンター役物のように遊技盤の裏面側に大きく突出するものがある。
【０００３】
そこで、例えば、特許文献１（特開２００１−２７６３９３号公報）に記載されているように、パチンコ機の本体枠の裏面側の上部に球タンクを配置すると共に、本体枠の裏面側の右側部に球払出装置を配置して、本体枠の裏面側のパチンコ球の球流下経路を本体枠の裏面側の上部から右側部に渡って略逆Ｌ字状に形成することで、本体枠や機構板の中央部に、遊技盤の裏面側に突出する盤面部品との干渉を回避するための開口部を形成できるようにしている。
【０００４】
また、一般に、パチンコ機の本体枠は、正面側から見て左側端部（裏面側から見て右側端部）を軸にして開閉できるように外枠（パチンコ島側）に取り付けられている関係上、本体枠の裏面側の上部右側に、パチンコ機島側と電気的に接続される電源受電基板や情報端子基板が配置されている。これら電源受電基板や情報端子基板は、本体枠の裏面側の中央部や下部に配設されたメイン制御基板、払出制御基板等の各種の制御基板にハーネスを介して電気的に接続されている。
【０００５】
しかし、前述したように、本体枠の裏面側のパチンコ球の球流下経路が本体枠の裏面側の上部から右側部に渡って略逆Ｌ字状に形成されているため、本体枠の裏面側の上部右側の電源受電基板や情報端子基板と各制御基板とを接続するハーネスが、パチンコ球の球流下経路と交差するように配線されることになる。このため、球流下経路を流下するパチンコ球の静電気の放電ノイズがハーネスを介して制御基板に侵入しやすくなり、制御基板の回路を誤動作させる可能性がある。
【０００６】
この対策として、特許文献２（特開２００２−８５７９３号公報）に記載されているように、パチンコ機の本体枠の裏面側の上部に球タンクを配置すると共に、本体枠の裏面側の左側部に球払出装置を配置して、本体枠の裏面側のパチンコ球の球流下経路を本体枠の裏面側の上部から左側部に渡って形成することが提案されている。
【０００７】
【特許文献１】
特開２００１−２７６３９３号公報（第３頁、第１図等）
【特許文献２】
特開２００２−８５７９３号公報（第２頁、第１図等）
【０００８】
【発明が解決しようとする課題】
前述したように、一般に、パチンコ機の本体枠は、裏面側から見て右側端部を軸にして開閉できるように外枠に取り付けられているため、本体枠の左側端部に、本体枠を外枠に対して閉鎖状態で施錠するための施錠装置が設けられている。上記特許文献２のように、本体枠の裏面側の左側部（施錠装置側の側部）に球払出装置を配置する構成では、モータ等を内蔵した球払出装置の本体枠の裏面側への突出量が大きいため、球払出装置を本体枠の左側端部に寄せて配置すると、本体枠開閉時の球払出装置の回動半径が大きくなって、本体枠を開閉する際に、球払出装置が外枠と衝突してしまう可能性がある。
【０００９】
これらの不具合を防止するために、本体枠の裏面側の左側部（施錠装置側の側部）に球払出装置を配置する構成では、球払出装置を本体枠の左端から適度な間隔だけ本体枠中央側へ移動させた位置に配置する必要がある。しかし、球払出装置及びその上下に接続される球流路全体を本体枠中央側へ移動させると、その分、本体枠や機構板に形成する盤面部品回避用の開口部が狭くなってしまう。このため、近年のセンター役物の大型化や盤面部品の増加に伴う開口部の拡大化の要求に対応することができない。
【００１０】
本発明はこのような事情を考慮してなされたものであり、従ってその目的は、本体枠の裏面側で施錠装置側の側部に球払出装置を配置する場合に、本体枠の開閉性を確保しながら、盤面部品回避用の開口部の拡大化の要求を満たすことができる遊技機を提供することにある。
【００１１】
【課題を解決するための手段】
上記目的を達成するために、本発明の請求項１は、遊技盤を支持する本体枠の側端部に、該本体枠を外枠に対して閉鎖状態で施錠するための施錠装置を設け、本体枠の裏面側で施錠装置側の側部に球払出装置を配置した遊技機において、球払出装置の本体枠中央側となる側面よりも該球払出装置に接続された球流路の本体枠中央側となる側面の少なくとも一部の方が本体枠の外寄りになるように該球流路を設けるようにしたものである。
【００１２】
このようにすれば、球払出装置を本体枠の施錠装置側の側端から適度な間隔だけ本体枠中央側へ移動させた位置に配置して、本体枠の開閉性を確保しながら、その球払出装置の上流側や下流側に接続された球流路の本体枠中央側となる側面を球払出装置の側面よりも外寄りにすることができ、その分、盤面部品回避用の開口部を拡大することができる。球流路は球払出装置と比較して本体枠の裏面側への突出量が小さいため、球流路を球払出装置よりも外寄りにしても、本体枠を開閉する際に、球流路が外枠と衝突することを回避することができる。
【００１３】
また、請求項２のように、球払出装置に接続された球流路の少なくとも一部を施錠装置と前後に重なるように設けるようにしても良い。このようにすれば、球払出装置を本体枠の施錠装置側の側端から適度な間隔だけ本体枠中央側へ移動させた位置に配置して、本体枠の開閉性を確保しながら、その球払出装置の上流側や下流側に接続された球流路を施錠装置の操作性を損なわない範囲で施錠装置と前後に重なるように配置して、球流路を外寄りにすることができ、その分、盤面部品回避用の開口部を拡大することができる。
【００１４】
ところで、本体枠の側端から球払出装置までの間隔が小さくなるほど盤面部品回避用の開口部を大きくすることができるので、本体枠の側端から球払出装置までの間隔は、本体枠開閉時の球払出装置と外枠との衝突を回避するのに必要な最小値に設定することが好ましい。しかし、外枠には、本体枠が閉じられたときに施錠装置と係合する係合部が本体枠側に突出するように設けられており、この係合部と同じ高さ位置に球払出装置を配置すると、本体枠開閉時の球払出装置と係合部との衝突を回避するために、本体枠の側端から球払出装置までの間隔を、球払出装置と外枠との衝突を回避するのに必要な最小値よりも大きくしなければならず、盤面部品回避用の開口部を十分に拡大することができない。
【００１５】
そこで、請求項３のように、外枠に本体枠が閉じられたときに施錠装置と係合する係合部が設けられている場合には、球払出装置を係合部よりも上方又は下方に配置するようにすると良い。このようにすれば、本体枠開閉時の球払出装置と係合部との衝突を回避しながら、本体枠の側端から球払出装置までの間隔を、球払出装置と外枠との衝突を回避するのに必要な最小値に設定することが可能となり、盤面部品回避用の開口部を十分に拡大することができる。
【００１６】
更に、請求項４のように、球払出装置を、遊技盤に形成された遊技領域が最大幅となる位置よりも高い位置に配置するようにしても良い。このようにすれば、本体枠の側端から球払出装置までの間隔が同じでも、球払出装置を遊技領域が最大幅となる位置と同じ高さ位置に配置する場合に比べて、球払出装置が遊技領域と重なる面積を少なくすることができ、遊技領域に対する盤面部品回避用の開口部の開口割合を大きくすることができる。
【００１７】
【発明の実施の形態】
以下、本発明をパチンコ機に適用した一実施形態を図面に基づいて説明する。まず、図２に基づいてパチンコ機１１の裏面側の概略構成を説明する。パチンコ機１１（遊技機）の本体枠１２の裏面側には、裏部品を組み付ける機構板１３が取り付けられている。この機構板１３は、本体枠１２の上部裏面に沿って左右方向に延びる部分１３ａと本体枠１２の左側部裏面に沿って上下方向に延びる部分１３ｂとからなる略逆Ｌ字形状に形成されている。
【００１８】
機構板１３の左右方向に延びる部分１３ａには、パチンコ島の球補給通路（図示せず）からパチンコ球が補給される球タンク１４と、この球タンク１４から流れ出るパチンコ球を整列状態で流下させるタンクレール１５とが設けられている。また、機構板１２の上下方向に延びる部分１３ｂには、タンクレール１５から流れ出るパチンコ球を例えば４条で流下させる球供給路１６（図３参照）と、この球供給路１６から供給されるパチンコ球を賞球（又は貸球）として払い出す球払出装置１７とが設けられている。
【００１９】
更に、球払出装置１７の球排出流路１８の下方には、球抜き装置１９を介して球払出流路２０と球抜き流路２１（図１参照）とが、パチンコ機１１の前後方向に並ぶように配置されている。球払出流路２０は、パチンコ機１１の前面側に配置された球皿（図示せず）に接続され、一方、球抜き流路２１は、パチンコ島の球回収通路（図示せず）に接続されている。
【００２０】
また、本体枠１２は、裏面側から見て右側端部を軸にして開閉できるように外枠２２に取り付けられ、本体枠１２の左側端部には、施錠装置２３が上下方向に延びるように設けられている。この施錠装置２３は、外枠２２に対して開閉可能な本体枠１２や、本体枠１２に対して開閉可能なガラス扉（図示せず）を閉鎖状態で施錠するためのものである。この施錠装置２３の中央部には、ガラス扉を開放するための操作部２４が、本体枠１２の裏面側から操作できるように設けられている。また、外枠２２の左側上部と下部には、本体枠１２が閉じられたときに施錠装置２３と係合する係合フック２５（係合部）が、本体枠１２側に突出するように設けられている。
【００２１】
一方、本体枠１２の前面側に支持された遊技盤２６の前面には、レール等によってパチンコ球が転動する遊技領域２７が略長円形状（又は略円形状）に区画形成され、この遊技領域２７に、多くの盤面部品（センター役物、入賞装置等）が組み付けられている。遊技盤２６に設けられた盤面部品の中には、例えばセンター役物のように遊技盤２６の裏面側に大きく突出するものがあるため、本体枠１２の中央部には、遊技盤２６の裏面側に突出する盤面部品との干渉を回避するための開口部２８が設けられている。
【００２２】
次に、各部の構成について説明する。図１に示すように、球払出装置１７は、本体枠１２の左側端（施錠装置２３側の側端）から適度な間隔だけ本体枠１２中央側へ移動させた位置に配置されている。ここで、適度な間隔は、例えば、球払出装置１７の左側面（外枠２２側の側面）が施錠装置２３の右端部（本体枠１２中央側の端部）よりも本体枠１２の中央側となる範囲内で施錠装置２３の近傍に位置させることができる間隔とする。これにより、球払出装置１７を施錠装置２３よりも本体枠１２中央側に配置して、球払出装置１７が施錠装置２３の操作部２４等を裏面側から操作する際の邪魔にならず、本体枠１２を開閉する際の球払出装置１７の回動軌跡（図４の二点鎖線参照）が外枠２２と交わらないように、本体枠１２の左側端から球払出装置１７までの間隔を設定して、本体枠１２の開閉時に球払出装置１７が外枠２２と衝突することを回避するようにしている。
【００２３】
更に、図１に示すように、球払出装置１７は、外枠２２の係合フック２５よりも下方で、且つ、遊技領域２７が最大幅となる位置よりも高い位置に配置されている。これにより、本体枠１２の開閉時に球払出装置１７が係合フック２５と衝突することを回避すると共に、球払出装置１７が遊技領域２７と重なる面積を少なくするようにしている。
【００２４】
また、球払出装置１７の球排出路１８は、左斜め下方（本体枠１２の外側）に向かって延びるように設けられ、この球排出路１８に球抜き装置１９を介して球払出流路２０と球抜き流路２１とが接続されることで、球払出装置１７の右側面（本体枠１２の中央側となる側面）よりも球払出流路２０の一部の右側面及び球抜き流路２１の右側面の方が本体枠１２の外寄りになっている。
【００２５】
更に、球抜き流路２１は、途中部分が本体枠１２の左側端付近まで湾曲して設けられ、図５に示すように、球抜き流路２１の途中部分が施錠装置２３の操作性を損なわない範囲で施錠装置２３と前後に重なっている。これにより、球抜き流路２１が遊技盤２６の端部付近に配置された盤面部品２９（例えばサイドランプやソレノイド等）と干渉することを回避するようにしている。
【００２６】
また、図６に示すように、球払出装置１７の本体ケース３０には、球払出用回転体３１と、この球払出用回転体３１を駆動するモータ３２と、球払出用回転体３１によって払い出されるパチンコ球を検出する払出球センサ３３等が設けられている。また、図７及び図８に示すように、本体ケース３０の前面側（パチンコ機１１の前面側となる側）の上端部と下端部には、それぞれ上部係合片３４と下部係合片３５が設けられ、図６に示すように、本体ケース３０の後面側の下端部には、係合爪３６が設けられている。
【００２７】
本体ケース３０の前面を機構板１３に宛がった状態で、本体ケース３０を上方にスライド移動させて、本体ケース３０の前面側の上部係合片３４と下部係合片３５をそれぞれ機構板１３の被係合部３７と被係合部３８に係合させると共に、本体ケース３０の後面側の係合爪３６を機構板１３の被係合部３９に弾性係合させることで、球払出装置１７が機構板１３に着脱可能に取り付けられている。
【００２８】
一方、係合爪３６に設けられた係合解除レバー４０を押し上げて、係合爪３６と被係合部３９の弾性係合を解除した状態で、本体ケース３０を下方にスライド移動させて、上部係合片３４と被係合部３７の係合及び下部係合片３５と被係合部３８の係合を解除することで、球払出装置１７を機構板１３から取り外すことができる。
【００２９】
また、図７に示すように、球払出装置１７の本体ケース３０の下端部と機構板１３には、それぞれ球払出装置１７と球排出流路１８との間の側方の隙間を塞ぐ防犯リブ４１、４２が互い違いに設けられている。更に、図８及び図９に示すように、本体ケース３０の下端部の後面側角部には、球払出装置１７と球排出流路１８との間の後面側角部の隙間を覆う防犯カバー４３が設けられている。
【００３０】
また、図１０に示すように、球タンク１４の底面４４の前面壁４５付近には、後方に向かって下り傾斜する傾斜面部４６が設けられ、この傾斜面部４６によって球タンク１４の前面壁４５付近のパチンコ球を後方へ流下させて、球タンク１４の前方に設けられたスピーカ４７（図１参照）から遠ざけることで、スピーカ４７の磁石の影響で球タンク１４の前面壁４５付近のパチンコ球の流れが止まってしまうことを防止するようにしている。
【００３１】
図１１に示すように、球払出装置１７の球排出流路１８の下方に配置された球抜き装置１９には、流路切換弁４８が、球払出装置１７から払い出されるパチンコ球を球払出流路２０へ流下させる払出位置と、球抜き流路２１へ流下させる球抜き位置との間を切換可能に設けられている。
【００３２】
球払出流路２０の上流部は、パチンコ機１１の前後方向の流路幅がパチンコ球のほぼ１個分の流路幅となるように形成された上流流路４９で構成されているが、球払出流路２０の下流部は、パチンコ機１１の前後方向の流路幅がパチンコ球のほぼ２個分の流路幅から徐々に広がってほぼ３個分の流路幅となるように形成された下流流路５０で構成されている。
【００３３】
球払出流路２０の上流流路４９と下流流路５０との間には、幅広流路部５１が設けられ、この幅広流路部５１の一端側に上流流路４９が接続されて他端側に満杯検出センサ５２が設けられている。これにより、球払出流路２０の上流流路４９から幅広流路部５１を通って下流流路５０へ流下するパチンコ球が満杯検出センサ５２で検出されることを回避しながら、球払出流路２０内のパチンコ球の貯溜量が増加して幅広流路部５１までパチンコ球が貯溜されたときに、そのパチンコ球を満杯検出センサ５２で検出できるようになっている。
【００３４】
満杯検出センサ５２は、パチンコ球検知部材５３と、このパチンコ球検知部材５３によってオン／オフされるマイクロスイッチ等のスイッチ部５４とで構成され、幅広流路部５１内に貯溜したパチンコ球によってパチンコ球検知部材５３が押されると、スイッチ部５４がオンされる。
【００３５】
以上説明した本実施形態では、球払出装置１７を施錠装置２３よりも本体枠１２中央側に配置して、本体枠１２開閉時の球払出装置１７の回動軌跡が外枠２２と交わらないようにしたので、本体枠１２開閉時の球払出装置１７と外枠２２との衝突を回避することができる。しかも、球払出装置１７の右側面（本体枠１２の中央側となる側面）よりも球払出流路２０の右側面及び球抜き流路２１の右側面を本体枠１２の外寄りになるようにすると共に、球抜き流路２１の一部を施錠装置２３と前後に重なるようにしたので、その分、盤面部品回避用の開口部２８を拡大することができ、近年のセンター役物の大型化や盤面部品の増加に伴う開口部２８の拡大化の要求に対応することができる。
【００３６】
ところで、本体枠１２の側端から球払出装置１７までの間隔が小さくなるほど盤面部品回避用の開口部２８を大きくすることができるので、本体枠１２の側端から球払出装置１７までの間隔は、本体枠１２開閉時の球払出装置１７と外枠２２との衝突を回避するのに必要な最小値に設定することが好ましい。しかし、外枠２２の係合フック２５と同じ高さ位置に球払出装置１７を配置すると、本体枠１２開閉時の球払出装置１７と係合フック２５との衝突を回避するために、本体枠１２の側端から球払出装置１７までの間隔を、球払出装置１７と外枠２２との衝突を回避するのに必要な最小値よりも大きくしなければならず、盤面部品回避用の開口部２８を十分に拡大することができない。
【００３７】
その点、本実施形態では、球払出装置１７を係合フック２５よりも下方に配置するようにしたので、本体枠１２開閉時の球払出装置１７と係合フック２５との衝突を回避しながら、本体枠１２の側端から球払出装置１７までの間隔を、球払出装置１７と外枠２２との衝突を回避するのに必要な最小値に設定することが可能となり、盤面部品回避用の開口部２８を十分に拡大することができる。
【００３８】
更に、本実施形態では、球払出装置を、遊技領域２７が最大幅となる位置よりも高い位置に配置するようにしたので、本体枠１２の側端から球払出装置１７までの間隔が同じでも、球払出装置１７を遊技領域２７が最大幅となる位置と同じ高さ位置に配置する場合に比べて、球払出装置１７が遊技領域２７と重なる面積を少なくすることができ、遊技領域２７に対する盤面部品回避用の開口部２９の開口割合を大きくすることができる。
【００３９】
尚、上記実施形態では、球払出装置１７の下流側の球流路（球払出流路２０や球抜き流路２１）の右側面（本体枠１２の中央側となる側面）を球払出装置１７の右側面よりも外寄りにして、開口部２８を拡大する構成としたが、球払出装置１７の上流側の球流路（球供給路１６）の右側面を球払出装置１７の右側面よりも外寄りにして、開口部２８を拡大する構成としても良い。更に、球払出装置１７の上流側及び下流側の球流路の右側面を球払出装置１７の右側面よりも外寄りにして開口部２８を拡大する構成としても良い。
【００４０】
また、上記実施形態では、球抜き流路２１を施錠装置２３と前後に重なるようにしたが、球供給路１６や球払出流路２０を施錠装置２３と前後に重なるようにしても良い。
【００４１】
また、上記実施形態では、球払出装置１７を係合フック２５よりも下方に配置したが、球払出装置１７を係合フック２５よりも上方に配置して、球払出装置１７と係合フック２５との衝突を回避するようにしても良い。
【００４２】
また、上記実施形態では、球払出装置を遊技領域２７が最大幅となる位置よりも高い位置に配置したが、これに限定されず、球払出装置を遊技領域２７が最大幅となる位置と同じ高さ位置したり、或は、球払出装置を遊技領域２７が最大幅となる位置やよりも低い位置に配置するようにしても良い。
【００４３】
また、上記実施形態では、球払出装置１７の下方に球抜き装置１９を設けたが、これに限定されず、球払出装置１７の上方に球抜き装置を設けたり、或は、球払出装置１７に球抜き機能を持たせるようにしても良い。
【００４４】
また、上記実施形態では、機構板１３を略Ｌ字形状に形成したが、これに限定されず、例えば、機構板１３を略コ字形状や略ロ字形状に形成しても良い等、機構板１３の形状は適宜変更しても良い。また、機構板１３を設けずに、本体枠１２の裏面に裏部品を組み付ける構成としても良い。
【００４５】
また、球払出装置１７を施錠装置２３の操作部２４に被さらない位置、又はその近傍位置以外に配置して、操作部２４の操作を妨げないようにしても良い。
その他、本発明の適用範囲は一般のパチンコ機に限定されず、アレンジ式のパチンコ機やパチンコ球を使用してスロットゲームを行う遊技機等、種々の遊技機に本発明を適用しても良い。
【００４６】
【発明の効果】
以上の説明から明らかなように、本発明の請求項１の遊技機によれば、本体枠の裏面側で施錠装置側の側部に球払出装置を配置するものにおいて、球払出装置の本体枠中央側となる側面よりも該球払出装置に接続された球流路の本体枠中央側となる側面の少なくとも一部の方が本体枠の外寄りになるようにしたので、球払出装置を本体枠の側端から適度に離して、本体枠の開閉性を確保しながら、球流路の側面を本体枠の外寄りにして、盤面部品回避用の開口部を拡大することができ、センター役物の大型化や盤面部品の増加に対応することができる。
【００４７】
また、請求項２では、球払出装置に接続された球流路の少なくとも一部を施錠装置と前後に重なるようにしたので、球払出装置を本体枠の側端から適度に離して、本体枠の開閉性を確保しながら、球流路を施錠装置と重なるように配置して外寄りにすることで、盤面部品回避用の開口部を拡大することができ、センター役物の大型化や盤面部品の増加に対応することができる。
【００４８】
また、請求項３では、球払出装置を外枠の係合部よりも上方又は下方に配置するようにしたので、本体枠開閉時の球払出装置と係合部との衝突を回避しながら、本体枠の側端から球払出装置までの間隔を必要最小値に設定することができ、盤面部品回避用の開口部を十分に拡大することができる。
【００４９】
更に、請求項４では、球払出装置を遊技領域が最大幅となる位置よりも高い位置に配置するようにしたので、球払出装置が遊技領域と重なる面積を少なくすることができ、遊技領域に対する盤面部品回避用の開口部の開口割合を大きくすることができる。
【図面の簡単な説明】
【図１】本発明の一実施形態におけるパチンコ機側部の裏面図
【図２】パチンコ機の裏面図
【図３】図１のＡ−Ａ断面図
【図４】図１のＢ−Ｂ断面図
【図５】図１のＣ−Ｃ断面図
【図６】球払出装置の縦断側面図
【図７】球払出装置の前面図
【図８】図７のＤ−Ｄ断面図
【図９】球払出装置の後面図
【図１０】球タンク及びその周辺部の縦断側面図
【図１１】球払出流路及びその周辺部の縦断側面図
【符号の説明】
１１…パチンコ機（遊技機）、１２…本体枠、１３…機構板、１４…球タンク、１７…球払出装置、２０…球払出流路、２１…球抜き流路、２２…外枠、２３…施錠装置、２５…係合フック（係合部）、２６…遊技盤、２７…遊技領域、２８…開口部。
【図１】
2004357808.tif 000003
【図２】
2004357808.tif 000004
【図３】
2004357808.tif 000005
【図４】
2004357808.tif 000006
【図５】
2004357808.tif 000007
【図６】
2004357808.tif 000008
【図７】
2004357808.tif 000009
【図８】
2004357808.tif 000010
【図９】
2004357808.tif 000011
【図１０】
2004357808.tif 000012
【図１１】
2004357808.tif 000013